(57)【特許請求の範囲】
【請求項１】
家具（１０）の間に配置されながら、その上下面にテーブル面（２１）とマットレス面（２２）がそれぞれ形成された回動体（２０）の回動装置において、
前記家具（１０）の一側面に上下方向に沿って所定の間隔を隔てて並んで装着され、上部及び下部結合孔（３１、３２）が上下所定間隔に形成され、前記下部結合孔（３２）の直下部に支持突起（３３）が形成された複数の固定脚（３０）と；
前記回動体（２０）の両側面にそれぞれ装着され、前記上部結合孔（３１）及び下部結合孔（３２）と同じ間隔で左右離間されて設置された支持軸（４１、４２）を備えた固定板（４０）と；
前記固定板（４０）の支持軸（４１、４２）にそれぞれ前後スライド式に収納及び引き出し可能に内装されて、前記回動体（２０）の固定過程で前記上部結合孔（３１）または前記下部結合孔（３２）に選択的に結合または解除されるロック部（５０）と；を含み、
前記回動体（２０）に具備された支持軸（４１、４２）が前記固定脚（３０）に構成された上部結合孔（３１）または下部結合孔（３２）に選択的に嵌められた状態で前記ロック部（５０）によって固定されて、前記テーブル面（２１）またはマットレス面（２２）にセッティングされることを特徴とする空間活用型多用途家具の回動装置。
【請求項２】
前記家具（１０）には、その一側面に前記回動体（２０）が回動する過程で発生する自体の荷重を吸収する少なくとも一つ以上の緩衝手段（６０）が装着されたことを特徴とする請求項１に記載の空間活用型多用途家具の回動装置。
【請求項３】
前記支持軸（４１、４２）の先端部には前記回動体（２０）が回動する過程で、前記支持軸（４１、４２）が前記支持突起（３３）に接触する際に、円滑な回転力を提供するためのベアリング（４１ａ、４２ａ）がそれぞれ装着されることを特徴とする請求項１に記載の空間活用多用途家具の回動装置。
【請求項４】
前記ロック部（５０）は、前記支持軸（４１、４２）の内部に、前後に摺動しながら前記上部結合孔（３１）または下部結合孔（３２）に嵌められるバー（ｂａｒ）形状の移動部と、前記移動部に垂直方向に一体に形成されて、前記移動部を前後に移動させるための取っ手部とで構成されたもので、前記移動部の一端には前記移動部が常に前方を向かうようにスプリングが設置されることを特徴とする請求項１に記載の空間活用多用途家具の回動装置。
【発明の詳細な説明】
【技術分野】
【０００１】
本発明はベッドと机を兼用する多用途家具に関し、特に多用途家具の作動による便利性を向上させるとともに、製造コストを低減させることができるようにした空間活用型多用途家具の回動装置に関する。
【背景技術】
【０００２】
一般に、多用途家具はベッドと机を兼用して、狭い室内空間を活用しようとする目的で開発された家具の一種で、この多用途ベッドは家具と家具との間にマットレス面とテーブル面を有する回動体を装着して、必要に応じて机またはベッドに選択して使用する。
【０００３】
即ち、図１に示すように、本出願人によって提案された「多用途家具（韓国特許登録番号：１０−０３９５４７５号）」によれば、押入れを含む一対の支持手段３００と、前記支持手段３００の間に配置されて、作動部２００によって回転するとともに、支持部材３３０によって支持される回動体１００とで構成される。
【０００４】
また、図２に示すように、前記回動体１００は、前記支持手段３００に構成された軸受２２１と前記回動体１００に構成された回動軸２１１の相互作用によって回転し、一方、前記支持部材３３０に構成された水平支持部材３２５と連結紐３２６の相互作用によって水平状態を保持する。
【０００５】
しかし、前記多用途家具１は、前記作動部２００によって前記回動体１００を回動した状態で、前記支持部材３３０を通じて支持状態を保持するため、前記回動体１１０の作動構造が複雑で、且つ作業工程及び作業荷重が増大されるとともに、製造コストが増大される問題点があった。
【０００６】
また、前記多用途家具１は、前記作動部２００の回動軸２１１を中心に回動する構造であるため、前記回動体１００をマットレスとして利用する場合、地面からの位置が高くて外力に容易に遊動される虞れがあって、使用者に睡眠中に安楽さを提供することが困難であるという問題点があった。
【先行技術文献】
【特許文献】
【０００７】
【特許文献１】韓国特許登録番号：１０−０３９５４７５号
【発明の概要】
【発明が解決しようとする課題】
【０００８】
本発明は上記のような問題点を解決するために案出されたもので、多用途家具の回動構造を変更して回動機構の作動による便利性を向上させるとともに、製造コストを低減させることができるようにした空間活用型多用途家具の回動装置を提供することにその目的がある。
【課題を解決するための手段】
【０００９】
前記した目的を果たすための本発明は、家具と家具の間に配置されながら、その上下面にテーブル面とマットレス面がそれぞれ形成された回動体の回動装置において、前記家具の内壁面に上下方向に沿って並んで装着されるとともに、その内周面に上／下部結合孔と支持突起がそれぞれ形成された複数の固定脚と；前記回動体の両側面にそれぞれ装着されるとともに、その外壁面に前記上部結合孔及び下部結合孔に対応する位置にそれぞれのベアリングを有する支持軸が装着された固定板と；前記固定板の支持軸にそれぞれスライド式に装着されて、前記回動体の固定過程で前記上部結合孔または前記下部結合孔に選択的に結合または解除されるロック部と；を含む構成である。
【図面の簡単な説明】
【００１０】
【図１】従来技術による多用途家具を示す斜視図である。
【図２】図１の一部省略正断面図である。
【図３】本発明による多用途家具を示す一実施例である。
【図４】本発明による多用途家具の回動機構を示す分解斜視図である。
【図５】本発明による多用途家具の作動過程を示す断面図である。
【図６】本発明による多用途家具の作動過程を示す断面図である。
【図７】本発明による多用途家具の作動過程を示す断面図である。
【図８】本発明による多用途家具の作動過程を示す断面図である。
【図９】本発明による多用途家具の作動過程を示す断面図である。
【発明を実施するための形態】
【００１１】
以下、本発明による実施形態を説明すれば次の通りである。
【００１２】
図３は本発明による多用途家具を示す一実施形態であり、図４は本発明による多用途家具の回動機構を示す分解斜視図であり、図５〜図９は本発明による多用途家具の作動過程を示す断面図あり、家具１０の間に配置されながら、その上下面にテーブル面２１とマットレス面２２がそれぞれ形成された回動体２０の回動装置において、前記家具１０の内壁面に上下方向に沿って並んで装着されるとともに、その内周面に上／下部結合孔３１、３２と支持突起３３がそれぞれ形成された複数の固定脚３０と、前記回動体２０の両側面にそれぞれ装着されるとともに、その外壁面に前記上部結合孔３１及び下部結合孔３２に対応する位置にそれぞれのベアリング４１ａ、４２ａを有する支持軸４１、４２が装着された固定板４０及び前記固定板４０の支持軸４１、４２にそれぞれスライド式に装着されて前記回動体２０の固定過程で前記上部結合孔３１または前記下部結合孔３２に選択的に結合または解除されるロック部５０を含み、前記回動体２０に構成された支持軸４１または支持軸４２が前記固定脚３０に構成された上部結合孔３１または下部結合孔３２に選択的に嵌められた状態で前記ロック部５０によって固定されて、前記テーブル面２１またはマットレス面２２にセッティングされる構成である。
【００１３】
ここで、本発明の回動装置は、家具１０の間に装着される回動体２０を回動させる回動装置であって、家具１０の一側面である内壁面に固定された複数の固定脚３０と、前記回動体２０の両側面に装着された固定板４０、前記固定板４０の支持軸４１、４２に内装されたそれぞれのロック部５０、及び前記家具１０と回動体２０を相互連結する緩衝手段６０からなることを特徴とする。
【００１４】
この時、家具１０は前記回動体２０の全長に対応するだけの間隔を隔てて配置され、引き出しでもよく、モニター搭載台でもよいが、これに限定されるのではなく、特に家具１０の中の何れか一つにモニター搭載台が構成される場合、その上面板をスライド式に構成して空間を活用することが好ましい。
【００１５】
また、回動体２０は家具１０の間に水平方向に沿って配置されて、前記ロック部５０を通じて固定されるもので、机として利用するテーブル面２１とベッドとして利用するマットレス面２２が形成されたことに限定したが、その他にも機能を兼用することができる全ての家具を含むことは当然である。
【００１６】
また、固定脚３０は、前記家具１０の内壁面の両側に所定の間隔を隔てて並んで装着されたもので、その内面に所定の間隔を隔てて上部結合孔３１と下部結合孔３２がそれぞれ形成されながら、前記下部結合孔３２の下部側に後述する支持軸４１、４２が置かれる支持突起３３が形成される。
【００１７】
この時、固定脚３０は、前記回動体２０自身の荷重と使用者の体重及び搭載物の全体荷重を支持する程度の強度を有する金属材質または強化プラスチック材質を選択して使用することが好ましく、特にその見掛けを四角形に形成して、支持強度を増大することが好ましい。
【００１８】
また、固定板４０は、前記回動体２０の両側面にそれぞれ装着される板形状の部材で、その両側部に後述する支持軸４１、４２が装着される左右一対の結合孔が形成されながら、前記結合孔の間に後述する緩衝手段６０が装着される結合孔４５が形成される。
【００１９】
この時、前記支持軸４１、４２の配置間隔は、前記上部結合孔３１と下部結合孔３２が互いに上下に離間された間隔と同じ間隔で左右に離間してそれぞれ形成することが好ましく、特にその先端部に前記支持突起３３との接触過程で一方向または両方向に回転力を提供するそれぞれのベアリング４１ａ、４２ａを装着することが好ましい。
【００２０】
特に、支持軸４１、４２には長手方向に沿って後述するロック部５０が往復移動する摺動溝を形成することが好ましい。
【００２１】
この時、本発明では、前記回動体３０の両側面に前記支持軸４１、４２を有する固定板４０が装着されたことに限定して説明したが、前記回動体３０の両側面に前記固定板４０を排除した状態で、前記支持軸４１、４２を直接装着する場合でも本発明の技術範疇に含まれることは当然である。
【００２２】
また、ロック部５０は、前記固定板４０の支持軸４１、４２にそれぞれ前後スライド式に収納及び引き出し可能に内装されたもので、前記上部結合孔３１または前記下部結合孔３２に選択的に結合または解除され、特にその一側部に介設されたスプリングを通じて常に外側方向を向けるように構成することが好ましい。
【００２３】
勿論、ロック部５０は、前記支持軸４１、４２の内部をスライド式に移動しながら上部結合孔３１または下部結合孔３２で嵌められるバー（ｂａｒ）形状の移動部と、前記移動部に垂直方向に一体に形成されながら使用者が手で握る取っ手部とからなる。
【００２４】
また、前記家具１０の内壁面と前記固定板４０の結合孔４５に前記回動体２０が回動する過程で発生するその自身の荷重を吸収して緩衝する一つまたはその以上の緩衝手段６０を装着することが好ましい。
【００２５】
この時、緩衝手段６０は前記回動体２０の全体荷重及び回動速度を考慮して設計することが好ましく、特にガススプリングやコイルスプリングや板スプリングなどを使用することが好ましいが、これに限定するのではない。
【００２６】
以下、本発明による作用を添付された図４及び図５を参照して詳細に説明すれば次の通りである。
【００２７】
ここで、本発明の作用構造を説明するにおいて、固定脚３０の構成要素３１、３２、３３の図面符号を図４及び５のように、図面上で前方側を３１、３２、３３に、図面上で後方側を３１′、３２′、３３′に分けて説明する。
【００２８】
図５に示すように、本発明による多用途家具は、前記家具１０の間に回動体２０が配置される場合、前記テーブル面２１が上方を向いた状態であるので、前記テーブル面２１を机として利用する。
【００２９】
図６に示すように、多用途家具をベッドに替えようとする場合、一旦固定脚３０の上部結合孔３１に嵌められた前記ロック部５０を引っ張って解除すれば、前記回動体２０の先端部が時計の反対方向に回動可能な状態になる。
【００３０】
この時、前記回動体２０が時計の反対方向に回動する過程で、前記家具２０と回動体２０の間に結合された前記緩衝手段６０によって回動体２０自身の荷重が吸収されて順次に回動される。
【００３１】
勿論、本発明で前記固定脚３０の上部結合孔３１に嵌められた前記ロック部５０を解除するという意味は、前記回動体２０の両側部に構成された全てのロック部５０を解除するという意味であることは当然である。
【００３２】
続いて、図７に示すように、前記回動体２０の回動過程で、前記固定板４０の支持軸４１が支持突起３３′に搭載される場合、前記支持軸４１に構成されたロック部５０を下部結合孔３２′に嵌めて固定する。
【００３３】
続いて、図８に示すように、前記固定脚３０の上部結合孔３１′に結合された前記ロック部５０を引っ張って解除すれば、前記回動体２０の後端部が時計の反対方向に回動可能な状態になる。
【００３４】
続いて、図９に示すように、前記回動体２０の回動過程で、前記固定板４０の支持軸４２が前記支持突起３３に搭載される場合、前記支持軸４２に構成されたロック部５０を下部結合孔３２に結合して固定する。
【００３５】
このようにすれば、前記回動体２０が前記固定脚３０の支持突起３３、３３′に搭載された状態でロック部５０によって固定されて、マットレス面２２が上方を向いた状態であるので前記回動体２０をベッドとして利用する。
産業上の利用可能性
【００３６】
以上で説明したような本発明による空間活用型多用途家具の回動装置によれば以下のような效果を奏する。
【００３７】
第一、多用途家具の回動機構が単純化されるので、回動体の回動による各種作業工程及び作業荷重が減少され、且つ製造コストが低減される。
【００３８】
第二、多用途家具をベッドとして利用する場合、地面からの高さが最小化されるので、就寝の中の安定性が向上されて安楽さが倍加される。
【図１】
0005513505.tif 000002
【図２】
0005513505.tif 000003
【図３】
0005513505.tif 000004
【図４】
0005513505.tif 000005
【図５】
0005513505.tif 000006
【図６】
0005513505.tif 000007
【図７】
0005513505.tif 000008
【図８】
0005513505.tif 000009
【図９】
0005513505.tif 000010